(57)【要約】【課題】電池等の保護対象部品を落下衝撃等の外力から保護しつつ、その保護対象部品が変位や変形をしてしまったとしても、特別な部品を要する事もなく、異常な変位や変形を通知できる事を可能にした撮像装置を提供すること。【解決手段】電子機器を動作させる電力供給手段と、前記電力供給手段の１つまたは複数の面に当接し弾性的に支持している支持部材と、前記支持部材から延出した接点部と、回路基板上に設けられた接点検出部を備え、前記接点部が前記接点検出部に当接し、前記電力供給手段の移動に伴い前記接点部が前記回路基板上の前記接点検出部上を移動し、信号を切り替える信号切替手段を有する事を特徴とする構成とした。【選択図】  図４
2013250463.tif 000002
【特許請求の範囲】
【請求項１】
電子機器を動作させる電力供給手段（２１０）と、
前記電力供給手段（２１０）の１つまたは複数の面に当接し弾性的に支持している支持部材（３０８）と、
前記支持部材（３０８）から延出した接点部（４０４）と、
回路基板上（３０１）に設けられた接点検出部（４０５）を備える電子機器（１０１）であって、
前記接点部（４０４）が前記接点検出部（４０５）に当接し、前記電力供給手段（２１０）の移動に伴い前記接点部（４０４）が前記回路基板上（３０１）の前記接点検出部（４０５）上を移動し、信号を切り替える信号切替手段を有することを特徴とする電子機器（１０１）。
【請求項２】
前記接点検出部（４０５）は、前記電力供給手段（２１０）の１つの面と平行方向に設けられていることを特徴とする請求項１に記載の電子機器（１０１）。
【請求項３】
前記支持部材（３０８）は、前記回路基板（３０１）のグランドパターンに電気的に接続されていることを特徴とする請求項１又は請求項２に記載の電子機器（１０１）。
【請求項４】
前記支持部材（３０８）は、前記電力供給手段（２１０）の２つの面に当接し、２つの当接面の垂直な方向の動きに対して弾性変形可能であることを特徴とする請求項１乃至請求項３の何れか１項に記載の電子機器（１０１）。
【請求項５】
前記接点検出部（４０５）は、複数の検出領域（４０６〜４０９）をもち、前記接点部（４０４）が当接する検出領域により、異なる信号を出力する信号出力手段を有することを特徴とする請求項１乃至請求項４の何れか１項に記載の電子機器（１０１）。
【請求項６】
前記電子機器（１０１）は表示手段（１０４）を備えて、
前記信号出力手段は、前記接点検出部（４０５）が前記電力供給手段（２１０）の移動を所定回数以上検知した場合、または移動量が大きいと検知した場合に、前記表示手段（１０４）に前記電子機器（１０１）の警告を促す画面を出力することを特徴とする請求項１乃至請求項５の何れか１項に記載の電子機器（１０１）。
【請求項７】
電子機器を動作させる電力供給手段（２１０）と、
前記電力供給手段（２１０）の直交する２つの面に挟まれた辺に、４５度の角度で当接し、弾性的に支持している支持部材（１２００）と、
前記支持部材（１２００）から延出した、前記電力供給手段（２１０）の１つの面に当接し弾性的に支持している支持部（１２１０）と、
前記支持部材（１２００）から延出した接点部（１２０４）と、
回路基板（３０１）上に設けられた接点検出部（１２０５）を備える電子機器（１０１）であって、
前記接点部（１２０４）が前記接点検出部（１２０５）に当接し、前記電力供給手段（２１０）の移動に伴い前記接点部（１２０４）が前記回路基板上（３０１）の前記接点検出部（１２０５）上を移動し、信号を切り替える信号切替手段を有することを特徴とする電子機器（１０１）。
【請求項８】
前記接点検出部（１２０５）は、前記電力供給手段（２１０）の１つの面と平行方向に設けられていることを特徴とする請求項７に記載の電子機器（１０１）。
【請求項９】
前記支持部材（１２００）は、前記回路基板（３０１）のグランドパターンに電気的に接続されていることを特徴とする請求項７又は請求項８に記載の電子機器（１０１）。
【請求項１０】
前記接点検出部（１２０５）は、複数の検出領域（１２０６〜１２０９）をもち、前記接点部（１２０４）が当接する検出領域により、異なる信号を出力する信号出力手段を有することを特徴とする請求項７乃至請求項９の何れか１項に記載の電子機器（１０１）。
【請求項１１】
前記電子機器（１０１）は表示手段（１０４）を備えて、
前記信号出力手段は、前記接点検出部（１２０５）が前記電力供給手段（２１０）の移動を所定回数以上検知した場合、または移動量が大きいと検知した場合に、前記表示手段（１０４）に前記電子機器（１０１）の警告を促す画面を出力することを特徴とする請求項７乃至請求項１０の何れか１項に記載の電子機器（１０１）。
【発明の詳細な説明】
【技術分野】
【０００１】
本発明は、電子機器に関し、特に撮像装置等を動作させる電力供給手段を有する電子機器に関するものである。
【背景技術】
【０００２】
近年、デジタルカメラの機能の進化に伴い、デジタルカメラを動作させる為の電池の充電をＵＳＢ（Ｕｎｉｖｅｒｓａｌ Ｓｅｒｉａｌ Ｂｕｓ）や無線給電を用いて、電池をデジタルカメラ本体から取り出さずとも行う事ができるようになった。一方、スマートフォンやデジタルオーディオプレイヤー等の電子機器では、リチウムポリマー電池を使用する事で、電池を電子機器に内蔵し、電子機器本体の薄型化を実現している。
【０００３】
リチウムポリマー電池は、外装がアルミニウムのラミネートフィルムで覆われている為、落下等の衝撃に弱いという特徴がある。また、デジタルカメラにリチウムポリマー電池を内蔵する場合は、リチウムポリマー電池が衝撃等により変位、変形してしまっても、ユーザーは気付く事ができない。
【０００４】
以上より、デジタルカメラにリチウムポリマー電池を内蔵する場合は、デジタルカメラ内のリチウムポリマー電池にかかる衝撃を吸収し、かつリチウムポリマー電池の変形を検知するといった対策が必要である。
【０００５】
特許文献１には、リチウムポリマー電池同様衝撃に弱いハードディスク記録再生機の保護装置として、ハードディスクを構成している機器再生ユニットが弾性保持されていて、機器再生ユニットを構成している機体ケースに取り付けられている加速度センサにて外力を検出する一方で、機器再生ユニットにかかる外力を遅延緩和し、その間にハードディスク内の磁気ヘッドの入出力信号を停止、かつ磁気ヘッドをハードディスクの記録領域から離す、という技術が開示されている。
【先行技術文献】
【特許文献】
【０００６】
【特許文献１】特開平６−２７５００２号公報
【発明の概要】
【発明が解決しようとする課題】
【０００７】
しかしながら、上述の特許文献１に開示された従来技術では、機体ケースに加速度センサ等の高価な検出器を別途設置しなければならなかった。
【０００８】
また、加速度センサ等の検出器では、弾性保持されている機器再生ユニットが衝撃を受けた後に所望の位置に戻らなかった際に、機器再生ユニットの恒久的な変位、変形を検出する事が困難であった。
【０００９】
そこで、本発明の目的は、内蔵電池等の保護対象部品を落下衝撃等の外力から保護しつつ、その保護対象部品が変位や変形をしてしまったとしても、特別な部品を要する事もなく、異常な変位や変形を通知できる事を可能にした撮像装置を提供する事である。
【課題を解決するための手段】
【００１０】
上記課題を解決するために、本発明に係る電子機器は、電子機器を動作させる電力供給手段と、前記電力供給手段の１つまたは複数の面に当接し弾性的に支持している支持部材と、前記支持部材から延出した接点部と、回路基板上に設けられた接点検出部を備え、前記接点部が前記接点検出部に当接し、前記電力供給手段の移動に伴い前記接点部が前記回路基板上の前記接点検出部上を移動し、信号を切り替える信号切替手段を有する事を特徴とする。
【発明の効果】
【００１１】
本発明によれば、電池を弾性的に支持している支持部材から延出した接点部が回路基板上に設けられた検出部に当接し、電池の移動に伴って接点部が検出部上を移動する事により、電池を落下衝撃等の外力から保護しつつ、電池が変位や変形をしてしまったとしても、簡易的な構成で特別な部品を要する事もなく、異常な変位や変形を検出し、通知することができる。
【図面の簡単な説明】
【００１２】
【図１】本発明の第１の実施形態における撮像装置１０１の背面側の斜視図である。
【図２】本発明の第１の実施形態における撮像装置１０１の電気的構成を示すブロック図である。
【図３】本発明の第１の実施形態における撮像装置１０１の内部構成を示す正面側の斜視図である。
【図４】本発明の第１の実施形態におけるバッテリ支持部材３０８周辺の構成を示す斜視図である。
【図５】（ａ）本発明の第１の実施形態におけるバッテリ２１０が水平方向に移動した時のバッテリ支持部材３０８の動作を示す斜視図である。（ｂ）本発明の第１の実施形態におけるバッテリ２１０が鉛直方向に移動した時のバッテリ支持部材３０８の動作を示す斜視図である。（ｃ）本発明の第１の実施形態におけるバッテリ２１０が斜め方向に移動した時のバッテリ支持部材３０８の動作を示す斜視図である。
【図６】本発明の第１の実施形態における接点検出部４０５のパターン検出がパターン４０６以外にて検出した時のカメラシステム制御部２０６の処理を示すフローチャート図である。
【図７】本発明の第１の実施形態におけるカメラシステム２０６が、バッテリ２１０の異常な状態を検知し、バッテリの交換を促す画面表示である。
【図８】本発明の第２の実施形態におけるバッテリ支持部材３０８周辺の構成を示す斜視図である。
【図９】本発明の第３の実施形態におけるメインシャーシ３０５周辺の構成を示す斜視図である。
【図１０】本発明の第４の実施形態におけるバッテリ支持部材３０８周辺の構成を示す斜視図である。
【図１１】本発明の第４の実施形態における接点検出部１００１のパターン検出がパターン１１０２以外にて検出した時のカメラシステム制御部２０６の処理を示すフローチャート図である。
【図１２】本発明の第５の実施形態におけるバッテリ支持部材１２００周辺の構成を示す斜視図である。
【図１３（ａ）】本発明の第５の実施形態におけるバッテリ２１０が水平方向に移動した時のバッテリ支持部材１２００の動作を示す斜視図である。
【図１３（ｂ）】本発明の第５の実施形態におけるバッテリ２１０が鉛直方向に移動した時のバッテリ支持部材１２００の動作を示す斜視図である。
【図１３（ｃ）】本発明の第５の実施形態におけるバッテリ２１０が斜め方向に移動した時のバッテリ支持部材１２００の動作を示す斜視図である。
【図１３（ｄ）】本発明の第５の実施形態におけるバッテリ２１０が厚み方向に移動した時のバッテリ支持部材１２００の動作を示す斜視図である。
【発明を実施するための形態】
【００１３】
以下に、本発明の好ましい実施の形態を、添付の図面に基づいて詳細に説明する。ここでは、電子機器の例としてデジタルカメラを用いて説明する。
【００１４】
＜第１の実施形態＞
図１は撮像装置１０１の背面側の斜視図である。
【００１５】
撮像装置１０１の上面には、その右上隅にシャッターボタン１０２が設けられている。右下隅にはモード選択ダイアル１０３が設けられている。モード選択ダイアル１０３は、オート、マニュアル、各種シーンモード、動画等の撮影モードを設定できるものである。撮像装置１０１の背面には、表示部１０４が設けられている。表示部１０４には、撮像された画像、撮像装置１０１に装着されたメモリカードから読み出された画像、撮像装置１０１の各種設定のための画像等が表示される。表示部１０４の右側には、各種設定等で利用される選択ボタン１０５、メニューボタン１０６が設けられ、選択ボタン１０５の中央には実行ボタン１０７が設けられている。
【００１６】
図２は、本実施の形態における撮像装置１０１の電気的構成を示すブロック図である。
【００１７】
撮像装置１０１は、撮像系、画像処理系、記録再生系、制御系を有する。撮像系は、撮影光学系２０１、撮像素子２０２を含み、画像処理系は、Ａ／Ｄ変換器２０３、画像処理回路２０４を有する。また、記録再生系は、メモリ２０５を含み、制御系は、カメラシステム制御部２０６、各種センサ２０７、Ｉ／Ｏ２０８、レンズ系制御部２０９、バッテリ２１０を有する。撮像系は、物体からの光を、撮影光学系２０１を介して撮像素子２０２の撮像面に結像する光学処理系であり、各種センサ２０７の内、測光センサから得られる信号を基にして不図示の絞りなどを用いて適切な光量の被写体光を撮像素子２０２に露光する。画像処理回路２０４は、Ａ／Ｄ変換器２０３を介して撮像素子２０２から受けた撮像素子２０２の画素数の画像信号を処理する信号処理回路であり、ホワイトバランス回路、ガンマ補正回路、補間演算による高解像度化を行う補間演算回路等を有する。カメラシステム制御部２０６は、シャッターボタン１０２、選択ボタン１０５、実行ボタン１０７等の操作を検出するＩ／Ｏ２０８からの検出信号に応動して各部を制御し、撮像の際のタイミング信号などを生成して出力する。更にカメラシステム制御部２０６は、メモリ２０５への画像信号の出力を行うとともに、Ｉ／Ｏ２０８を介して表示部１０４に出力する画像を生成し、保存する。また、各種センサ２０７は、カメラのピント状態を検出する測距センサや露光状態等を検出する露光センサを含む。レンズ系制御部２０９は、各種センサ２０７と、カメラシステム制御部２０６の信号に応じて適切に撮像光学系２０１を制御する。以上の動作をさせる電力供給手段として、電力をバッテリ２１０からカメラシステム制御部２０６を介して各動作部へ送る。
【００１８】
図３は、本実施の形態における撮像装置１０１の内部構成の一部を示す正面側の斜視図である。
【００１９】
また、本発明では便宜上、Ｘ方向を水平方向、Ｙ方向を鉛直方向、ＸＹ成分を含んだ方向を斜め方向、Ｚ方向を厚み方向とする。
【００２０】
撮像装置１０１は、回路基板３０１、リード線３０２、弾性部材３０３、鏡筒３０４、メインシャーシ３０５、ビス３０６、３０７、バッテリ支持部材３０８を含む。バッテリ２１０は回路基板３０１にリード線３０２を介して直接実装されている。また、バッテリ２１０は回路基板３０１に弾性部材３０３を介して保持されている。
【００２１】
鏡筒３０４の内部には、不図示の撮影光学系２０１が構成されている。板金部材のメインシャーシ３０５は回路基板３０１、鏡筒３０４、バッテリ支持部材３０８を保持しており、バッテリ支持部材３０８と回路基板３０１はビス３０６、３０７、鏡筒３０４はそれぞれ不図示のビスで複数箇所固定されている。これより、バッテリ支持部材３０８はメインシャーシ３０５、ビス３０６，３０７を介して、回路基板３０１上の不図示のグランドパターンに電気的に接続されている。本実施例でメインシャーシ３０５は板金部材にて構成するが、特にその材料を規制するわけではない。バッテリ支持部材３０８は、板金部材より成っており、バッテリ２１０を弾性的に支持している。また、バッテリ支持部材３０８はバッテリ２１０を弾性支持するため、薄肉でばね性の高い材料である事が好ましい。
【００２２】
図４は、本実施の形態におけるバッテリ支持部材３０８周辺の構成を示す斜視図である。
【００２３】
バッテリ支持部材３０８は、バッテリ支持部４０１、ビス締結部４０２、弾性部４０３、接点部４０４を含み、バッテリ支持部材３０８の周辺には、回路基板３０１の接点検出部４０５を含み、接点検出部４０５はそれぞれパターン４０６〜４０９を有する。バッテリ支持部材３０８は、バッテリ２１０をバッテリ支持部４０１にて弾性支持しており、バッテリ支持部４０１と、メインシャーシ３０５とビス３０６で締結しているビス締結部４０２との間に弾性部４０３を構成している。ビス締結部４０２の逆側先端には、接点部４０４が延出している。回路基板３０１には、接点検出部４０５がパターニングされており、パターン４０６〜４０９の複数の検出部に分かれ、通常使用時には接点部４０４がパターン４０６に当接している。接点検出部４０５にて検出された情報は、カメラシステム制御部２０６へ伝わり、接点検出部４０５のパターン４０６〜４０９の各検出位置により、カメラシステム制御部２０６からI／Ｏ２０８を介して表示部１０４へ伝える信号を切り替えることができる。
【００２４】
バッテリ支持部材３０８は、バッテリ２１０と回路基板３０１を接続しているリード線３０２の対角側に配置されている。また、バッテリ支持部材３０８はメインシャーシ３０５と不図示箇所で位置決めされている。バッテリ支持部材３０８とメインシャーシ３０５を位置決めすることで、メインシャーシ３０５と位置決めしている回路基板３０１にパターニングされている接点検出部４０５とも位置がずれることなく構成できる。加えて、バッテリ支持部材３０８は、回路基板３０１と共にメインシャーシ３０５にビス３０７を用いてビス締結されている。バッテリ支持部材３０８は、薄肉の板金部材であるため、バーリング加工を施す事が出来ず、回路基板３０１を保持するメインシャーシ３０５にビス締結する。
【００２５】
図５（ａ）〜（ｃ）は、本実施の形態におけるバッテリ２１０移動時のバッテリ支持部材３０８の動作を示す斜視図である。図５（ａ）は、本実施の形態におけるバッテリ２１０の水平方向移動時のバッテリ支持部材３０８の動作を示す斜視図である。
【００２６】
撮像装置１０１が水平方向に落下等の衝撃を受けた際に、弾性部材３０３がバッテリ２１０にかかる衝撃を吸収しつつ、バッテリ２１０は、撮像装置１０１から働く慣性力により水平方向に移動する。バッテリ支持部材３０８は、バッテリ２１０が水平方向に移動するのに伴い、弾性部４０３が水平方向に撓み、バッテリ支持部４０１が水平方向に移動する。バッテリ支持部４０１が水平方向に移動するのに伴い、バッテリ支持部４０１から延出している接点部４０４も同方向に移動する。接点部４０４が水平方向に移動すると、接点部４０４が当接している接点検出部４０５のパターン４０６からパターン４０７へと移動し、カメラシステム制御部２０６へ信号が伝わり、カメラシステム制御部２０６からI／Ｏ２０８を介して表示部１０４へ伝える信号を切り替える。
【００２７】
図５（ａ）では、バッテリ２１０がバッテリ支持部４０１に向かって水平方向に変位している動作を示したが、バッテリ２１０がバッテリ支持部４０１から離れる方向に変位した場合でも、バッテリ２１０は弾性部材３０３から反発力を受け、振動する為、バッテリ支持部４０１は水平方向に移動し、接点部４０４も同方向に移動することで、回路基板３０１の接点検出部４０５はバッテリ２１０の移動を検知する事ができる。
【００２８】
接点検出部４０５のパターン４０７を検出した際における、カメラシステム制御部２０６の処理は後述するものとする。
【００２９】
図５（ｂ）は、本実施の形態におけるバッテリ２１０の鉛直方向移動時のバッテリ支持部材３０８の動作を示す斜視図である。
【００３０】
撮像装置１０１が鉛直方向に落下等の衝撃を受けた際に、弾性部材３０３がバッテリ２１０にかかる衝撃を吸収しつつ、バッテリ２１０は、撮像装置１０１から働く慣性力により鉛直方向に移動する。バッテリ支持部材３０８は、図５（ａ）の動作と同様に、バッテリ２１０が鉛直方向に移動するのに伴い、弾性部４０３が鉛直方向に撓み、バッテリ支持部４０１が鉛直方向に移動する。バッテリ支持部４０１が鉛直方向に移動するのに伴い、バッテリ支持部４０１から延出している接点部４０４も同方向に移動する。接点部４０４が鉛直方向に移動すると、接点部４０４が当接している接点検出部４０５のパターン４０６からパターン４０８へと移動し、カメラシステム制御部２０６へ信号が伝わり、カメラシステム制御部２０６からI／Ｏ２０８を介して表示部１０４へ伝える信号を切り替える。
【００３１】
図５（ｂ）では、バッテリ２１０がバッテリ支持部４０１に向かって鉛直方向に変位している動作を示したが、バッテリ２１０がバッテリ支持部４０１から離れる方向に変位した場合でも、バッテリ２１０は弾性部材３０３から反発力を受け、振動する為、バッテリ支持部４０１は鉛直方向に移動し、接点部４０４も同方向に移動することで、回路基板３０１の接点検出部４０５はバッテリ２１０の移動を検知する事ができる。
【００３２】
接点検出部４０５のパターン４０８を検出した際における、カメラシステム制御部２０６の処理は後述するものとする。
【００３３】
図５（ｃ）は、本実施の形態におけるバッテリ２１０の斜め方向移動時のバッテリ支持部材３０８の動作を示す斜視図である。
【００３４】
撮像装置１０１が斜め方向に落下等の衝撃を受けた際に、弾性部材３０３がバッテリ２１０にかかる衝撃を吸収しつつ、バッテリ２１０は、撮像装置１０１から働く慣性力により斜め方向に移動する。バッテリ支持部材３０８は、図５（ａ）の動作と同様に、バッテリ２１０が斜め方向に移動するのに伴い、弾性部４０３が斜め方向に撓み、バッテリ支持部４０１が斜め方向に移動する。バッテリ支持部４０１が斜め方向に移動するのに伴い、バッテリ支持部４０１から延出している接点部４０４も同方向に移動する。接点部４０４が斜め方向に移動すると、接点部４０４が当接している接点検出部４０５のパターン４０６からパターン４０９へと移動し、カメラシステム制御部２０６へ信号が伝わり、カメラシステム制御部２０６からI／Ｏ２０８を介して表示部１０４へ伝える信号を切り替える。
【００３５】
図５（ｃ）では、バッテリ２１０がバッテリ支持部４０１に向かって斜め方向に変位している動作を示したが、バッテリ２１０がバッテリ支持部４０１から離れる方向に変位した場合でも、バッテリ２１０は弾性部材３０３から反発力を受け、振動する為、バッテリ支持部４０１は斜め方向に移動し、接点部４０４も同方向に移動することで、回路基板３０１の接点検出部４０５はバッテリ２１０の移動を検知する事ができる。
【００３６】
接点検出部４０５のパターン４０９を検出した際における、カメラシステム制御部２０６の処理は後述するものとする。
【００３７】
図６は、接点部４０４の移動により、接点検出部４０５のパターン検出がパターン４０６以外にて検出した時における、カメラシステム制御部２０６の処理を示すフローチャート図である。
【００３８】
まず、カメラシステム制御部２０６は、接点検出部４０５のパターン４０６を検出しているかどうかを判定する（ステップＳ６０１）。ステップＳ６０１でパターン４０６を検出していないと判定された場合には、パターン４０８を検出しているかどうかを判定する（ステップＳ６０２）。ステップＳ６０２でパターン４０８を検出した場合には、パターン４０８を一定時間以上検出し続けているかどうかを判定する（ステップＳ６０３）。ステップＳ６０３でパターン４０８を一定時間以上検出し続けていると判定された場合には、バッテリ２１０が衝撃により変位、変形して通常使用時の位置に戻らないと認識され、カメラシステム制御部２０６は、表示部１０４に図７のように、バッテリ２１０が異常な状態である旨を表示し（ステップＳ６０４）、修理やバッテリ２１０の交換を促す。ステップＳ６０３で、パターン４０８を検出し続けていないと判定された場合には、バッテリ２１０が衝撃により移動したが、通常使用時の位置に戻ったと認識され、カメラシステム制御部２０６は変位回数１回をカウントし、記憶する（ステップＳ６０５）。
【００３９】
ステップＳ６０２で、パターン４０８を検出していないと判定された場合には、パターン４０７を検出しているかどうかを判定する（ステップＳ６０６）。ステップＳ６０６でパターン４０７を検出していると判定された場合には、パターン４０７を一定時間以上検出し続けているかどうかを判定する（ステップＳ６０７）。ステップＳ６０７でパターン４０７を一定時間以上検出し続けていると判定された場合には、ステップＳ６０４に移行し、表示部１０４に図７のようなバッテリ２１０が異常な状態である旨を表示する。ステップＳ６０７で、パターン４０７を一定時間以上検出し続けていないと判定された場合には、ステップＳ６０５に移行し、カメラシステム制御部２０６は変位回数１回をカウントし、記憶する。
【００４０】
ステップＳ６０６で、パターン４０７を検出していないと判定された場合には、パターン４０９を検出しているかどうかを判定する（ステップＳ６０８）。ステップＳ６０８でパターン４０９を検出していると判定された場合には、パターン４０９を一定時間以上検出し続けているかどうかを判定する（ステップＳ６０９）。ステップＳ６０９でパターン４０９を一定時間以上検出し続けていると判定された場合には、ステップＳ６０４に移行し、表示部１０４に図７のようなバッテリ２１０が異常な状態である旨を表示する。ステップＳ６０９で、パターン４０９を一定時間以上検出し続けていないと判定された場合には、ステップＳ６０５に移行し、カメラシステム制御部２０６は変位回数１回をカウントし、記憶する。ステップＳ６０５で変位回数１回をカウントしたカメラシステム制御部２０６は、変位回数が５回以上かどうかを判定し（ステップＳ６１０）、５回以上の場合は、バッテリ２１０が受けた外力が多いと判断され、ステップＳ６０４に移行し、表示部１０４に図７のようなバッテリ２１０が異常な状態である旨を表示する。
【００４１】
本実施例では、変位回数が５回以上の時に、表示部１０４に図７のようなバッテリ２１０が異常な状態である旨を表示したが、その変位回数はバッテリの形状、重さ等の状況に応じて設定する。
【００４２】
＜第２の実施形態＞
本実施形態は第１の実施形態を応用して適応したものである。
【００４３】
以下、第１の実施形態において共通の部分について説明を省略し、第１の実施形態と異なる点を中心に説明する。
【００４４】
本実施形態において第１の実施形態と異なる点は、図４のバッテリ支持部材３０８の接点部４０４の代わりに図８の導電部材取付部８０１を構成し、導電部材取付部８０１の先端から導電部材８０２を軽圧入し、導電部材８０２が回路基板３０１の接点検出部４０５に当接している点である。
【００４５】
この方法により、バッテリ支持部材３０８の接点部４０４が回路基板３０１の接点検出部４０５に直接当接することがなくなり、バッテリ支持部材３０８の厚み方向の位置決め精度も緩和する事ができ、更にバッテリ支持部材３０８が回路基板３０１に不必要に付勢される事がなくなり、バッテリ支持部材３０８が塑性変形してしまうのを防ぐことができる。また、導電部材８０２に弾性材料を使用する事により、弾性変形量を増やすことができ、同じくバッテリ支持部材３０８が塑性変形してしまうのを防ぐことができる。第１の実施形態と同様に、通常使用時は導電部材８０２が回路基板３０１の接点検出部４０５のパターン４０６に当接しており、バッテリ２１０移動時のカメラシステム制御部２０６の処理方法も、第１の実施形態と同様とする。
【００４６】
＜第３の実施形態＞
本実施形態は第１の実施形態を応用して適応したものである。
【００４７】
以下、第１の実施形態において共通の部分について説明を省略し、第１の実施形態と異なる点を中心に説明する。
【００４８】
本実施形態において第１の実施形態と異なる点は、図４のバッテリ支持部材３０８がメインシャーシ３０５と一体で構成されている点である。図４のバッテリ支持部材３０８のバッテリ支持部４０１、弾性部４０３、接点部４０４はそれぞれ、図９のバッテリ支持部９０１、弾性部９０３、接点部９０４で構成している。
【００４９】
この方法により、バッテリ支持部材３０８の部品が不必要となり、第１の実施形態より安価な構成で本発明を実施する事ができる。
【００５０】
第１の実施形態と同様に、通常使用時は接点部９０４が回路基板３０１の接点検出部４０５のパターン４０６に当接しており、バッテリ２１０移動時のカメラシステム制御部２０６の処理方法も、第１の実施形態と同様とする。
【００５１】
＜第４の実施形態＞
本実施形態は第１の実施形態を応用して適応したものである。
【００５２】
以下、第１の実施形態において共通の部分について説明を省略し、第１の実施形態と異なる点を中心に説明する。
【００５３】
本実施形態において第１の実施形態と異なる点は、図４の接点検出部４０５のパターニングの形状及びバッテリ２１０移動時のカメラシステム制御部２０６の処理方法を、バッテリ２１０の絶対変位量を検出できるようにした点である。
【００５４】
図１０の接点検出部１００１は、通常使用時はバッテリ支持部材３０８の接点部４０４がパターン１００２に当接している。接点検出部１００１は、バッテリ２１０の移動に伴い、接点部４０４が移動し、その移動量の大きさに応じて、パターン１００２〜１００５を検出する。
【００５５】
図１１は、接点部４０４の移動により、接点検出部１００１のパターン検出がパターン１００２以外にて検出した時における、カメラシステム制御部２０６の処理を示すフローチャート図である。
【００５６】
まず、カメラシステム制御部２０６は、接点検出部１００１のパターン１００２を検出しているかどうかを判定する（ステップＳ１１０１）。ステップＳ１１０１でパターン１００２を検出していないと判定された場合には、パターン１００３を検出しているかどうかを判定する（ステップＳ１１０２）。ステップＳ１１０２でパターン１００３を検出した場合には、パターン１００３を一定時間以上検出し続けているかどうかを判定する（ステップＳ１１０３）。ステップＳ１１０３でパターン１００３を一定時間以上検出し続けていると判定された場合には、バッテリ２１０が衝撃により変位、変形して通常使用時の位置に戻らないと認識され、カメラシステム制御部２０６は、表示部１０４に図７のように、バッテリ２１０が異常な状態である旨を表示し（ステップＳ６０４）、修理やバッテリ２１０の交換を促す。ステップＳ１００３で、パターン１００３を検出し続けていないと判定された場合には、バッテリ２１０が衝撃により移動したが、通常使用時の位置に戻ったと認識され、カメラシステム制御部２０６は変位閥値１を加算し、記憶する（ステップＳ１１０４）。
【００５７】
ステップＳ１１０２で、パターン１００３を検出していないと判定された場合には、パターン１００４を検出しているかどうかを判定する（ステップＳ１１０５）。ステップＳ１１０５でパターン１００４を検出していると判定された場合には、パターン１００４を一定時間以上検出し続けているかどうかを判定する（ステップＳ１１０６）。ステップＳ１１０６でパターン１００４を一定時間以上検出し続けていると判定された場合には、ステップＳ６０４に移行し、表示部１０４に図７のようなバッテリ２１０が異常な状態である旨を表示する。ステップＳ１１０６で、パターン４０７を一定時間以上検出し続けていないと判定された場合には、ステップＳ１１０７に移行し、カメラシステム制御部２０６は変位閥値２を加算し、記憶する。ステップＳ１１０４、Ｓ１１０７で変位閥値を加算したカメラシステム制御部２０６は、変位閥値が１０以上かどうかを判定し（ステップＳ１１０８）、１０以上の場合は、バッテリ２１０が受けた外力が多いと判断され、ステップＳ６０４に移行し、表示部１０４に図７のようなバッテリ２１０が異常な状態である旨を表示する。
【００５８】
ステップＳ１１０５で、パターン１００４を検出していないと判定された場合には、パターン１００５を検出しているかどうかを判定する（ステップＳ１１０９）。ステップＳ１１０９でパターン１００５を検出していると判定された場合には、バッテリ２１０の変位が大きいと判定され、ステップＳ６０４に移行し、表示部１０４に図７のようなバッテリ２１０が異常な状態である旨を表示する。
【００５９】
本実施例では、変位閥値が１０以上の時に、表示部１０４に図７のようなバッテリ２１０が異常な状態である旨を表示したが、その変位閥値はバッテリの形状、重さ等の状況に応じて設定する。
【００６０】
この方法により、バッテリ２１０が受ける外力の方向に関係なく、バッテリ２１０の変位量に応じて、カメラシステム制御部２０６の処理を行う事ができる。
【００６１】
＜第５の実施形態＞
本実施形態は第１の実施形態を応用して適応したものである。
【００６２】
以下、第１の実施形態において共通の部分について説明を省略し、第１の実施形態と異なる点を中心に説明する。
【００６３】
本実施形態において第１の実施形態と異なる点は、図４のバッテリ支持部材３０８の代わりに図１２のバッテリ支持部材１２００にて構成し、バッテリ支持部材１２００のバッテリ支持部１２０１をバッテリ２１０の２面に挟まれた辺に、略４５度の角度で当接している点である。
【００６４】
図１２は、本実施の形態におけるバッテリ支持部材１２００周辺の構成を示す斜視図である。
【００６５】
バッテリ支持部材１２００は、バッテリ支持部１２０１、水平バッテリ支持部１２１０、ビス締結部１２０２、弾性部１２０３、接点部１２０４を含む。バッテリ支持部材１２００の周辺には、メインシャーシ１２１１、回路基板３０１の接点検出部１２０５を含み、接点検出部１２０５はそれぞれパターン１２０６〜１２０９を有する。バッテリ支持部材１２００は、バッテリ２１０をバッテリ支持部１２０１の斜面にて、かつバッテリ支持部１２０１から延出している水平バッテリ支持部１２１０にて弾性支持しており、バッテリ支持部１２０１と、メインシャーシ１２１１とビス３０６で締結しているビス締結部１２０２との間に弾性部１２０３を構成している。ビス締結部１２０２の逆側先端には、接点部１２０４が延出している。回路基板３０１には、接点検出部１２０５がパターニングされており、パターン１２０６〜１２０９の複数の検出部に分かれ、通常使用時には接点部１２０４がパターン１２０６に当接している。接点検出部１２０５にて検出された情報は、カメラシステム制御部２０６へ伝わり、接点検出部１２０５のパターン１２０６〜１２０９の各検出位置により、カメラシステム制御部２０６からＩ／Ｏ２０８を介して表示部１０４へ伝える信号を切り替えることができる。
【００６６】
図１３（ａ）〜（ｃ）は、本実施の形態におけるバッテリ２１０移動時のバッテリ支持部材１２００の動作を示す斜視図である。図１３（ａ）は、本実施の形態におけるバッテリ２１０の水平方向移動時のバッテリ支持部１２０１の動作を示す斜視図である。
【００６７】
電子機器１０１が水平方向に落下等の衝撃を受けた際に、弾性部材３０３がバッテリ２１０にかかる衝撃を吸収しつつ、バッテリ２１０は、撮像装置１０１から働く慣性力により水平方向に移動する。バッテリ支持部材１２００は、バッテリ２１０が水平方向に移動するのに伴い、弾性部１２０３が水平方向に撓み、バッテリ支持部１２０１、水平バッテリ支持部１２１０が水平方向に移動する。バッテリ支持部１２０１が水平方向に移動するのに伴い、バッテリ支持部１２０１から延出している接点部１２０４も同方向に移動する。接点部１２０４が水平方向に移動すると、接点部１２０４が当接している接点検出部１２０５のパターン１２０６からパターン１２０７へと移動し、カメラシステム制御部２０６へ信号が伝わり、カメラシステム制御部２０６から伝える信号を切り替える。
【００６８】
図１３（ａ）では、バッテリ２１０が水平バッテリ支持部１２１０に向かって水平方向に変位している動作を示したが、バッテリ２１０が水平バッテリ支持部１２１０から離れる方向に変位した場合でも、バッテリ２１０は弾性部材３０３から反発力を受け、振動する為、水平バッテリ支持部１２１０は水平方向に移動し、接点部１２０４も同方向に移動することで、回路基板３０１の接点検出部１２０５はバッテリ２１０の移動を検知する事ができる。
【００６９】
接点検出部１２０５のパターン１２０７を検出した際における、カメラシステム制御部２０６の処理は第１の実施形態における接点検出部４０５のパターン４０７を検出したカメラシステム制御部２０６の処理に対応するものとする。
【００７０】
図１３（ｂ）は、本実施の形態におけるバッテリ２１０の鉛直方向移動時のバッテリ支持部１２０１の動作を示す斜視図である。
【００７１】
撮像装置１０１が鉛直方向に落下等の衝撃を受けた際に、弾性部材３０３がバッテリ２１０にかかる衝撃を吸収しつつ、バッテリ２１０は、撮像装置１０１から働く慣性力により鉛直方向に移動する。バッテリ支持部材１２００は、図１３（ａ）の動作と同様に、バッテリ２１０が鉛直方向に移動するのに伴い、弾性部１２０３が鉛直方向に撓み、バッテリ支持部１２０１が鉛直方向に移動する。バッテリ支持部１２０１が鉛直方向に移動するのに伴い、バッテリ支持部１２０１から延出している接点部１２０４も同方向に移動する。接点部１２０４が鉛直方向に移動すると、接点部１２０４が当接している接点検出部１２０５のパターン１２０６からパターン１２０８へと移動し、カメラシステム制御部２０６へ信号が伝わり、カメラシステム制御部２０６から伝える信号を切り替える。
【００７２】
図１３（ｂ）では、バッテリ２１０がバッテリ支持部１２０１に向かって鉛直方向に変位している動作を示したが、バッテリ２１０がバッテリ支持部１２０１から離れる方向に変位した場合でも、バッテリ２１０は弾性部材３０３から反発力を受け、振動する為、バッテリ支持部１２０１は鉛直方向に移動し、接点部１２０４も同方向に移動することで、回路基板３０１の接点検出部１２０５はバッテリ２１０の移動を検知する事ができる。
【００７３】
接点検出部１２０５のパターン１２０８を検出した際における、カメラシステム制御部２０６の処理は第１の実施形態における接点検出部４０５のパターン４０８を検出したカメラシステム制御部２０６の処理に対応するものとする。
【００７４】
図１３（ｃ）は、本実施の形態におけるバッテリ２１０の斜め方向移動時のバッテリ支持部１２０１の動作を示す斜視図である。
【００７５】
撮像装置１０１が斜め方向に落下等の衝撃を受けた際に、弾性部材３０３がバッテリ２１０にかかる衝撃を吸収しつつ、バッテリ２１０は、撮像装置１０１から働く慣性力により斜め方向に移動する。バッテリ支持部材１２００は、図１３（ａ）の動作と同様に、バッテリ２１０が斜め方向に移動するのに伴い、弾性部１２０３が斜め方向に撓み、バッテリ支持部１２０１、水平バッテリ支持部１２１０が斜め方向に移動する。バッテリ支持部１２０１、水平バッテリ支持部１２１０が斜め方向に移動するのに伴い、バッテリ支持部１２０１から延出している接点部１２０４も同方向に移動する。接点部１２０４が斜め方向に移動すると、接点部１２０４が当接している接点検出部１２０５のパターン１２０６からパターン１２０９へと移動し、カメラシステム制御部２０６へ信号が伝わり、カメラシステム制御部２０６から伝える信号を切り替える。
【００７６】
図１３（ｃ）では、バッテリ２１０がバッテリ支持部１２０１に向かって斜め方向に変位している動作を示したが、バッテリ２１０がバッテリ支持部１２０１から離れる方向に変位した場合でも、バッテリ２１０は弾性部材３０３から反発力を受け、振動する為、バッテリ支持部１２０１は斜め方向に移動し、接点部１２０４も同方向に移動することで、回路基板３０１の接点検出部１２０５はバッテリ２１０の移動を検知する事ができる。
【００７７】
接点検出部１２０５のパターン１２０９を検出した際における、カメラシステム制御部２０６の処理は第１の実施形態における接点検出部４０５のパターン４０９を検出したカメラシステム制御部２０６の処理に対応するものとする。
【００７８】
図１３（ｄ）は、本実施の形態におけるバッテリ２１０の厚み方向移動時のバッテリ支持部１２０１の動作を示す斜視図である。
【００７９】
撮像装置１０１が厚み方向に落下等の衝撃を受けた際に、弾性部材３０３がバッテリ２１０にかかる衝撃を吸収しつつ、バッテリ２１０は、撮像装置１０１から働く慣性力により回路基板３０１の面に向かって移動する。バッテリ支持部材１２００は、バッテリ支持部１２０１がバッテリ２１０の角に略４５度の角度で当接し、接点部１２０４が回路基板３０１に当接していることから、バッテリ２１０が厚み方向に移動するのに伴い、弾性部１２０３が鉛直方向に撓み、バッテリ支持部１２０１が鉛直方向に移動する。バッテリ支持部１２０１が鉛直方向に移動するのに伴い、バッテリ支持部１２０１から延出している接点部１２０４も同方向に移動する。接点部１２０４が鉛直方向に移動すると、接点部１２０４が当接している接点検出部１２０５のパターン１２０６からパターン１２０８へと移動し、カメラシステム制御部２０６へ信号が伝わり、カメラシステム制御部２０６から伝える信号を切り替える。
【００８０】
図１３（ｄ）では、バッテリ２１０がバッテリ支持部１２０１に向かって厚み方向に変位している動作を示したが、バッテリ２１０がバッテリ支持部１２０１から離れる方向に変位した場合でも、バッテリ２１０は弾性部材３０３から反発力を受け、振動する為、バッテリ支持部１２０１は厚み方向に移動し、接点部１２０４も同方向に移動することで、接点検出部１２０５はバッテリ２１０の移動を検知する事ができる。
【００８１】
接点検出部１２０５のパターン１２０８を検出した際における、カメラシステム制御部２０６の処理は第１の実施形態における接点検出部４０５のパターン４０８を検出したカメラシステム制御部２０６の処理に対応するものとする。
【００８２】
また、接点検出部１２０５は第４の実施形態における図１０の接点検出部１００１の構成でも検出可能である。その場合は、回路基板３０１の接点検出部１２０５を接点検出部１００１とみなし、バッテリ支持部材１２００の接点部１２０４が接点検出部１００１に当接しており、バッテリ２１０の移動に伴い、接点部１２０４が移動し、その移動量の大きさに応じてパターン１００２〜１００５を検出する。接点部１２０４が接点検出部１００１のパターン１００２〜１００５を移動した場合における、カメラシステム制御部２０６の処理方法は、図１１のフローチャートの処理に従う。回路基板３０１の接点検出部１００５を接点検出部１００１に変更することで、バッテリ２１０が受ける外力の方向に関係なく、バッテリ２１０の変位量に応じて、カメラシステム制御部２０６の処理を行う事ができる。
【００８３】
以上の方法により、バッテリ支持部材１２００はバッテリ２１０の水平、鉛直方向の移動だけではなく、厚み方向における移動も検知する事ができるようになる。
【００８４】
以上、本発明の好ましい実施形態について説明したが、本発明はこれらの実施形態に限定されず、その要旨の範囲内で種々の変形及び変更が可能である。
【符号の説明】
【００８５】
１０１  撮像装置
１０２  シャッターボタン
１０３  モード選択ダイアル
１０４  表示部
１０５  選択ボタン
１０６  メニューボタン
１０７  実行ボタン
２０１  撮像光学系
２０２  撮像素子
２０３  Ａ／Ｄ変換器
２０４  画像処理回路
２０５  メモリ
２０６  カメラシステム制御部
２０７  各種センサ
２０８  Ｉ／Ｏ
２０９  レンズ系制御部
２１０  バッテリ
３０１  回路基板
３０２  リード線
３０３  弾性部材
３０４  鏡筒
３０５  メインシャーシ
３０６、３０７  ビス
３０８  バッテリ支持部材
４０１  バッテリ支持部
４０２  ビス締結部
４０３  弾性部
４０４  接点部
４０５  接点検出部
４０６〜４０９  パターン
【図１】
2013250463.tif 000003
【図２】
2013250463.tif 000004
【図３】
2013250463.tif 000005
【図４】
2013250463.tif 000006
【図５】
2013250463.tif 000007
【図６】
2013250463.tif 000008
【図７】
2013250463.tif 000009
【図８】
2013250463.tif 000010
【図９】
2013250463.tif 000011
【図１０】
2013250463.tif 000012
【図１１】
2013250463.tif 000013
【図１２】
2013250463.tif 000014
【図１３（ａ）】
2013250463.tif 000015
【図１３（ｂ）】
2013250463.tif 000016
【図１３（ｃ）】
2013250463.tif 000017
【図１３（ｄ）】
2013250463.tif 000018